(57)【特許請求の範囲】
【請求項１】
内部に注水するための注水口部を有する貯水タンク部と、
前記貯水タンク部に貯水された水を給水するための給水口部と、
前記貯水タンク部の内部に配置され、前記貯水タンク部に貯められた水に紫外線を照射することで、当該水を殺菌する紫外線光源部と、
前記注水口部を塞ぐための着脱可能な蓋部と、
前記紫外線光源部の点灯及び消灯を制御する駆動回路部とを備え、
前記紫外線光源部は、前記蓋部の裏面に取り付けられており、
前記駆動回路部と前記紫外線光源部とは、コネクタを介して電気的に接続されており、
前記駆動回路部と前記コネクタと前記紫外線光源部の一部とは、前記蓋部に内蔵されており、
前記蓋部は、周辺に凹部が設けられることで凸状に形成された、前記蓋部を開閉するために把持される把持部を有し、
前記把持部の上面と前記蓋部の前記裏面とは反対側の表面とは、面一であり、
前記蓋部は、前記表面が平坦であり、前記表面を鉛直下向きにして水平面に置いた場合に自立する
給水器。
【請求項２】
前記紫外線光源部の下端は、前記貯水タンク部の底部近傍に位置する
請求項１に記載の給水器。
【請求項３】
前記紫外線光源部は、前記紫外線を発するランプと、当該ランプを囲むカバーとを有し、
前記カバーは、立体格子形状を有し、立体格子の内部に前記ランプが配置されている
請求項１又は２に記載の給水器。
【請求項４】
前記給水器は、さらに、
前記注水口部が前記蓋部によって塞がれているか否かを検知する開閉センサ部を備え、
前記駆動回路部は、前記注水口部が塞がれていることを前記開閉センサ部によって検知されない場合に、前記紫外線光源部の点灯を禁止する
請求項１〜３のいずれか１項に記載の給水器。
【請求項５】
前記給水器は、さらに、前記開閉センサ部によって検知された前記蓋部の開閉状態に応じて音を発する出音部を備える
請求項４に記載の給水器。
【請求項６】
前記蓋部は、前記貯水タンク部の内部を視認するための窓部を備える
請求項１〜５のいずれか１項に記載の給水器。
【請求項７】
前記蓋部は、円板状の蓋体であり、かつ、側面に第１平坦部を有する
請求項１〜６のいずれか１項に記載の給水器。
【請求項８】
前記把持部の形状は、前記蓋部に対する平面視において、細長形状である
請求項１〜７のいずれか１項に記載の給水器。
【請求項９】
前記給水器は、さらに、
前記紫外線光源部の点灯時間をカウントするタイマー部と、
前記タイマー部によるカウントに応じた表示を行う表示部とを備える
請求項１〜８のいずれか１項に記載の給水器。
【請求項１０】
前記貯水タンク部の内面及び前記蓋部の裏面は、金属で覆われている
請求項１〜９のいずれか１項に記載の給水器。
【請求項１１】
前記給水器は、さらに、前記紫外線光源部の点灯状態に応じて音を発する出音部を備える
請求項１〜１０のいずれか１項に記載の給水器。
【請求項１２】
給水器に着脱可能な蓋であって、
当該蓋の裏面には、紫外線光源部が取り付けられており、
前記紫外線光源部の点灯及び消灯を制御する駆動回路部を備え、
前記駆動回路部と前記紫外線光源部とは、コネクタを介して電気的に接続されており、
前記駆動回路部と前記コネクタと前記紫外線光源部の一部とは、前記蓋に内蔵されており、
前記蓋は、周辺に凹部が設けられることで凸状に形成された、前記蓋を前記給水器に対して開閉するために把持される把持部を有し、
前記把持部の上面と前記蓋の前記裏面とは反対側の表面とは、面一であり、
前記蓋は、前記表面が平坦であり、前記表面を鉛直下向きにして水平面に置いた場合に自立し、
前記紫外線光源部は、前記蓋が前記給水器に取り付けられた場合に、前記給水器の内部に貯められた水に紫外線を照射することで、当該水を殺菌する
蓋。
【請求項１３】
前記紫外線光源部は、前記紫外線を発するランプと、当該ランプを囲むカバーとを有し、
前記カバーは、立体格子形状を有し、立体格子の内部に前記ランプが配置されている
請求項１２に記載の蓋。
【発明の詳細な説明】
【技術分野】
【０００１】
本発明は、給水器及び蓋に関する。
【背景技術】
【０００２】
従来から、家庭に配水されている水道水などを、紫外線によって殺菌してから飲用水として用いるということが行われている。これは、たとえ水道水であっても、マイクロコッカス菌又は大腸菌などの細菌が混入している場合があるためである。特に、発展途上国などにおいては、家庭用の水道水であっても充分に殺菌処理が行われていない場合、あるいは、配水途中で細菌が混入する場合がある。
【０００３】
家庭でも使用できる水殺菌装置としては、水道からの原水を濾過フィルターに通した後、流れる濾過水に紫外線を照射して殺菌し、殺菌後の水をタンクなどに貯水する技術が知られている（例えば、特許文献１参照）。タンクには、給水口（蛇口）が取り付けられており、当該給水口から給水して飲用水又は料理用の水として利用することができる。
【先行技術文献】
【特許文献】
【０００４】
【特許文献１】特開２００５−２１１８５１号公報
【発明の概要】
【発明が解決しようとする課題】
【０００５】
しかしながら、上述した従来の水殺菌装置では、濾過フィルターを通しながら、濾過水（すなわち、流水）を殺菌するので、所望の量の殺菌後の水を貯めるのに時間を要するという問題がある。また、従来の水殺菌装置は、水道管を流れる流水に対して紫外線を照射するので、充分に殺菌されないままタンクに貯水されるという問題もある。
【０００６】
そこで、本発明は、短期間に大量の水を充分に殺菌することができる給水器、及び、当該給水器に着脱可能な蓋を提供することを目的とする。
【課題を解決するための手段】
【０００７】
上記目的を達成するため、本発明の一態様に係る給水器は、内部に注水するための注水口部を有する貯水タンク部と、前記貯水タンク部に貯水された水を給水するための給水口部と、前記貯水タンク部の内部に配置され、前記貯水タンク部に貯められた水に紫外線を照射することで、当該水を殺菌する紫外線光源部とを備える。
【０００８】
また、本発明の一態様に係る蓋は、給水器に着脱可能な蓋であって、当該蓋の裏面には、紫外線光源部が取り付けられており、前記紫外線光源部は、前記蓋が前記給水器に取り付けられた場合に、前記給水器の内部に貯められた水に紫外線を照射することで、当該水を殺菌する。
【発明の効果】
【０００９】
本発明によれば、短期間に大量の水を充分に殺菌することができる。
【図面の簡単な説明】
【００１０】
【図１】本発明の実施の形態に係る給水器の概観斜視図である。
【図２Ａ】本発明の実施の形態に係る給水器の正面図である。
【図２Ｂ】本発明の実施の形態に係る給水器の上面図である。
【図２Ｃ】本発明の実施の形態に係る給水器の右側面図である。
【図３】本発明の実施の形態に係る給水器の断面図である。
【図４】本発明の実施の形態に係る貯水タンク部の概観斜視図である。
【図５】本発明の実施の形態に係る蓋部の概観斜視図である。
【図６Ａ】本発明の実施の形態に係る蓋部の正面図である。
【図６Ｂ】本発明の実施の形態に係る蓋部の上面図である。
【図６Ｃ】本発明の実施の形態に係る蓋部の右側面図である。
【図７】本発明の実施の形態に係る蓋部を閉じる様子を示す上面図である。
【図８】本発明の実施の形態に係る蓋部を、表面を鉛直下向きにして水平面に置いた様子を示す側面図である。
【図９】本発明の実施の形態に係る蓋部を、側面に設けられた平坦部を下向きにして水平面に置いた様子を示す側面図である。
【図１０】本発明の実施の形態に係る給水器を使用中における表示部の様子を示す上面図である。
【図１１】本発明の実施の形態に係る給水器の構成を示す機能ブロック図である。
【図１２】本発明の実施の形態に係る給水器の動作を示すフローチャートである。
【図１３】本発明の実施の形態に係る給水器の動作を模式的に示す図である。
【発明を実施するための形態】
【００１１】
以下では、本発明の実施の形態に係る給水器及び蓋について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。また、各図において、同じ構成部材については同じ符号を付している。また、以下の実施の形態において、略同一又は略均等などの表現を用いている。例えば、略同一は、完全に同一であることを意味するだけでなく、実質的に同一、すなわち、数％程度の誤差を含むことも意味する。
【００１３】
（実施の形態）
［概要］
まず、本実施の形態に係る給水器の概要について、図１〜図３を用いて説明する。
【００１４】
図１は、本実施の形態に係る給水器１の概観斜視図である。図２Ａ〜図２Ｃはそれぞれ、本実施の形態に係る給水器１の正面図、上面図及び右側面図である。図３は、本実施の形態に係る給水器１の断面図である。具体的には、図３は、図２Ｂに示すＩＩＩ−ＩＩＩ線における断面を示している。また、各図において、給水器１の左右方向をＸ軸方向、前後方向をＹ軸方向、上下方向をＺ軸方向とする。
【００１５】
本実施の形態に係る給水器１は、例えば、飲用水又は料理用水などの水を提供（給水）する。具体的には、給水器１は、水道水、井戸水、湧き水、雨水などの水（以下、「未殺菌水」と記載する）に紫外線（ＵＶ光）を照射することで殺菌する。給水器１は、殺菌後の水（以下、「殺菌水」と記載する）を飲用水などとして提供する。
【００１６】
本実施の形態に係る給水器１は、図１に示すように、いわゆるウォータージャグと呼ばれる、小型、かつ、軽量であり、持ち運び可能な給水器である。給水器１は、例えば、家庭などに設置され、あるいは、屋外に運ばれて用いられてもよい。
【００１７】
図１〜図３に示すように、給水器１は、貯水タンク部１０と、給水口部２０と、蓋部３０と、紫外線光源部４０と、開閉センサ部５０（図４及び図５を参照）と、駆動回路部６０と、インジケータ７０と、スピーカ８０と、取手部９０とを備える。
【００１８】
以下では、本実施の形態に係る給水器１が備える構成要素について、図１〜図３を適宜参照しながら詳細に説明する。
【００１９】
［貯水タンク部］
図４は、本実施の形態に係る貯水タンク部１０を示す概観斜視図である。
【００２０】
図４に示すように、貯水タンク部１０は、内部に注水するための注水口部１４を有する容器部である。貯水タンク部１０には、注水口部１４を介して未殺菌水が注水され、注水された未殺菌水が貯められる。貯められた未殺菌水は、図３などに示す紫外線光源部４０によって紫外線が照射された後、給水口部２０を介して外部に給水（排出）される。
【００２１】
本実施の形態では、図４に示すように、貯水タンク部１０は、開口部と底部とを有する有底略円筒体である。具体的には、貯水タンク部１０は、二重構造を有し、内部に貯められた水の温度を保つことができる。より具体的には、貯水タンク部１０は、外側容器１１と、内側容器１２とを備える。
【００２２】
外側容器１１は、貯水タンク部１０の外郭をなす容器である。
【００２３】
内側容器１２は、内部に水が貯められる容器である。内側容器１２の容量、すなわち、貯水タンク部１０に貯められる水の容量は、例えば、６リットル〜１０リットルであるが、これに限らない。内側容器１２は、外側容器１１より小さく、外側容器１１の内部に配置されている。
【００２４】
外側容器１１及び内側容器１２はそれぞれ、開口部と底部とを有する有底略円筒体である。なお、開口部と底部とは、平面視において同じ大きさでもよく、あるいは、開口部が底部より小さくてもよい（いわゆるボトル状）。また、外側容器１１及び内側容器１２の各々の形状は、これに限らず、例えば、有底角筒状でもよい。
【００２５】
図３に示すように、外側容器１１の開口部と内側容器１２の開口部とは接続されている。これにより、外側容器１１と内側容器１２との間に閉空間１３が形成されている。閉空間１３は、例えば真空などの減圧された空間である。これにより、外側容器１１と内側容器１２との間での熱伝導を抑制することができる。
【００２６】
注水口部１４は、貯水タンク部１０に設けられた開口部である。具体的には、注水口部１４は、内側容器１２の開口部である。注水口部１４を介して未殺菌水が内側容器１２の内部に注水される。
【００２７】
注水口部１４は、図１に示すように、蓋部３０によって塞がれる。注水口部１４の平面視形状（上面視形状）は、略円形である。これにより、蓋部３０を回動させてねじ締めすることで、注水口部１４を蓋部３０によって塞ぐことができる。もっとも塞ぐに際して、ねじ締めに限らず、注水口部１４及び蓋部３０にそれぞれ係合する凹部又は凸部を設けてもよい。例えば、凹部を凸部にはめ込んで注水口部１４を蓋部３０によって塞いでもよい。また、単に塞ぐだけであるならば、特にロックさせる機構を設ける必要もない。
【００２８】
貯水タンク部１０の底部近傍の側面部には、給水口部２０が接続される孔部１５が形成されている。孔部１５は、外側容器１１の外部と内側容器１２の内部とを連通する。孔部１５及び給水口部２０を介して、内側容器１２に貯められた水（例えば、殺菌水）を外部に給水することができる。
【００２９】
貯水タンク部１０の内面は、金属で覆われている。具体的には、内側容器１２の内面は、金属で覆われている。例えば、内側容器１２及び外側容器１１は、金属材料で形成されている。金属材料は、例えば、ステンレスである。なお、外側容器１１及び内側容器１２は、金属材料に限らず、例えば、樹脂材料などから形成されてもよい。このとき、内側容器１２の内面は、例えばめっき処理などによって金属材料で覆われていてもよい。
【００３０】
図４に示すように、貯水タンク部１０の注水口部１４の近傍には、開閉センサ部５０（タンク側センサ５２）が設けられる。具体的には、タンク側センサ５２は、蓋部３０を正しく閉じたときに、蓋部３０に設けられた蓋側センサ５１と近接する位置に設けられる。
【００３１】
なお、貯水タンク部１０は、上述したような二重構造を有しなくてもよい。
【００３２】
［給水口部］
給水口部２０は、貯水タンク部１０に貯水された水を給水するための部材である。具体的には、給水口部２０は、操作レバーを備える。操作レバーは、例えば、押下式、引上式、又は、回動式のレバーである。操作レバーが操作されたとき、給水口部２０は、貯水タンク部１０に貯水された水を供給し、あるいは、給水を停止する。
【００３３】
給水口部２０は、例えば、貯水タンク部１０の底部近傍の側面部に取り付けられている。具体的には、給水口部２０は、貯水タンク部１０の孔部１５に接続されている。給水口部２０は、例えば、ポリプロピレン（ＰＰ）などの樹脂材料から形成される。
【００３４】
なお、給水口部２０が設けられる位置は、貯水タンク部１０の底部近傍に限らない。例えば、給水口部２０は、給湯ポットなどのように、貯水タンク部１０の上部に設けられていてもよい。
【００３５】
［蓋部（蓋）］
図５は、本実施の形態に係る蓋部３０の概観斜視図である。図６Ａ〜図６Ｃはそれぞれ、本実施の形態に係る蓋部３０の正面図、上面図及び右側面図である。
【００３６】
蓋部３０は、注水口部１４を塞ぐための着脱可能な蓋である。本実施の形態では、図５及び図６Ａ〜図６Ｃに示すように、蓋部３０の裏面には、紫外線光源部４０が取り付けられている。
【００３７】
図５及び図６Ａ〜図６Ｃに示すように、蓋部３０は、表面部３０ａと、裏面部３０ｂとを備える。
【００３８】
表面部３０ａは、蓋部３０の表（おもて）面側の部分であり、図３に示すように、蓋部３０が閉じられた場合には、注水口部１４を覆う。表面部３０ａは、例えば、円板状の筐体である。表面部３０ａは、裏面（下面）側が開放されており、裏面部３０ｂが接続されている。表面部３０ａの表面（上面）側には、把持部３１が設けられている。表面部３０ａは、例えば、ポリプロピレンなどの樹脂材料から形成される。
【００３９】
裏面部３０ｂは、蓋部３０の裏面側の部分であり、図３に示すように、蓋部３０が閉じられた場合には、注水口部１４を介して貯水タンク部１０（具体的には、内側容器１２）内に配置されている。裏面部３０ｂは、例えば、円板状の筐体である。裏面部３０ｂは、表面（上面）側が開放されており、表面部３０ａが接続されている。裏面部３０ｂの裏面（下面）を貫通するように、紫外線光源部４０が設けられている。裏面部３０ｂは、例えば、ステンレスなどの金属材料から形成される。
【００４０】
本実施の形態では、蓋部３０の裏面は、金属で覆われている。具体的には、裏面部３０ｂが金属材料で形成されており、裏面部３０ｂの裏面（下面）が金属で覆われている。これにより、紫外線光源部４０が発する紫外光を反射することができる。
【００４１】
なお、裏面部３０ｂは、樹脂材料から形成されてもよい。この場合、例えば、裏面部３０ｂの下面に金属板を取り付けることで、蓋部３０の裏面に反射性を持たせることができる。
【００４２】
また、図３に示すように、蓋部３０の内部には、駆動回路部６０、インジケータ７０及びスピーカ８０が配置されている。また、図５に示すように、蓋部３０の内部には、開閉センサ部５０（蓋側センサ５１）が配置されている。
【００４３】
本実施の形態では、蓋部３０は、ねじ巻き式の蓋である。つまり、蓋部３０を貯水タンク部１０に対して回動させることで、蓋部３０は、注水口部１４を塞ぐことができる。
【００４４】
蓋部３０は、注水口部１４を塞ぐことで、貯水タンク部１０の内部（水が貯められる空間）を密閉する。なお、本実施の形態では、蓋部３０が注水口部１４を塞ぐことを、蓋部３０を閉じると記載する場合がある。
【００４５】
具体的には、「蓋部３０を閉じる」とは、貯水タンク部１０の内部から光が直接漏れない状態にすることである。つまり、蓋部３０が閉じられた状態では、蓋部３０と貯水タンク部１０との間には隙間が形成されておらず、貯水タンク部１０の内部から外部に光が漏れない。なお、後述するように、蓋部３０は、窓部３４を備えており、窓部３４を介して一部の光は貯水タンク部１０の外部に放出される。また、蓋部３０が閉じられた状態では、貯水タンク部１０の内部に貯められた水が注水口部１４を介して外部に漏れ出ないことが好ましい。
【００４６】
蓋部３０が「開けられた状態」とは、蓋部３０が閉じられていない状態である。例えば、蓋部３０が開けられた状態では、貯水タンク部１０の内部から光が漏れ出る、すなわち、貯水タンク部１０の内部を外部から視認可能な状態である。
【００４７】
図７は、本実施の形態に係る蓋部３０を閉じる様子を示す上面図である。具体的には、図７の（ａ）は、蓋部３０が開けられた状態を示し、（ｂ）は、蓋部３０が閉じられた状態を示している。
【００４８】
図７に示すように、蓋部３０は、平面視における中心を通る軸Ｐを回転軸として回動させることで、開閉される。本実施の形態では、蓋部３０は、蓋部３０を開閉するために把持される凸状の把持部３１を有する。ユーザは把持部３１を把持して蓋部３０を回動させることで、蓋部３０を開閉することができる。なお、蓋部３０及び貯水タンク部１０の各々には、互いに螺合するネジ山が形成されている。
【００４９】
把持部３１は、蓋部３０の開閉を行おうとする者（例えば、給水器１のユーザ）が把持する部分である。把持部３１の形状は、蓋部３０に対する平面視において、細長形状である。具体的には、把持部３１の周辺に凹部を設けられていることで、凸状の把持部３１が形成されている。把持部３１の上面と蓋部３０の表面（すなわち、上面）とは、面一である。把持部３１の上面は、後述する第２平坦部３３に含まれる。
【００５０】
蓋部３０が、貯水タンク部１０に対して所定の向き（又は所定の位置）まで回動された場合に、蓋部３０が閉じた状態になる。本実施の形態では、図７の（ｂ）に示すように、把持部３１の長手方向Ｑが、給水器１の前後方向Ｒ（すなわち、Ｙ軸方向）に一致するときに、蓋部３０が閉じた状態になる。
【００５１】
蓋部３０は、円板状の蓋体であり、かつ、側面に第１平坦部３２を有する。具体的には、図６Ｂに示すように、蓋部３０の上面視形状は、略円形であり、周の一部が欠落している。当該欠落部分が、第１平坦部３２である。つまり、第１平坦部３２は、蓋部３０の側面に設けられた平坦面を有する。図６Ｂ及び図６Ｃに示すように、蓋部３０を上面視及び側面視した場合に、第１平坦部３２は、それぞれ略直線で示される。つまり、第１平坦部３２は、略矩形の平坦面を有する。
【００５２】
図８は、本実施の形態に係る蓋部３０を、第１平坦部３２を下向きにして水平面９５に置いた様子を示す側面図である。
【００５３】
図８に示すように、蓋部３０が第１平坦部３２を有するので、第１平坦部３２と水平面９５とが線（又は面）で接する。したがって、図８において、左右方向への回転を抑制することができる。これにより、蓋部３０の回転が抑制されるので、例えば、周辺の物にぶつかる、又は、落下するなどによって蓋部３０又は紫外線光源部４０が破損するのを抑制することができる。
【００５４】
蓋部３０は、裏面とは反対側の表面に第２平坦部３３を有する。具体的には、図６Ａ〜図６Ｃに示すように、第２平坦部３３は、略円形の平坦面を有する。
【００５５】
図９は、本実施の形態に係る蓋部３０を、第２平坦部３３を下向きにして水平面９５に置いた様子を示す側面図である。
【００５６】
図９に示すように、蓋部３０は、第２平坦部３３を鉛直下向きにして水平面９５に置いた場合に自立する。つまり、蓋部３０は、第２平坦部３３と水平面９５とが接するように置いた場合に転倒しない。
【００５７】
第２平坦部３３は、例えば、紫外線光源部４０の軸方向（Ｚ軸方向）に直交する面である。これにより、第２平坦部３３を鉛直下向きにした場合、紫外線光源部４０の軸が鉛直方向になるので、紫外線光源部４０の重みによって蓋部３０が傾くことを抑制することができる。
【００５８】
また、紫外線光源部４０は、第２平坦部３３の略中央（重心）に対向する位置に取り付けられている。これにより、第２平坦部３３を鉛直下向きにして蓋部３０を水平面９５においた場合の安定性を向上させることができる。
【００５９】
このように、蓋部３０の転倒が抑制されるので、例えば、周辺の物にぶつかる、又は、落下するなどによって蓋部３０又は紫外線光源部４０が破損するのを抑制することができる。
【００６０】
蓋部３０は、窓部３４を備える。
【００６１】
窓部３４は、貯水タンク部１０の内部を視認するための部分である。本実施の形態では、図３に示すように、窓部３４は、貫通孔３４ａと、拡散部材３４ｂと、反射部材３４ｃと、透光性部材３４ｄとを有する。
【００６２】
貫通孔３４ａは、蓋部３０を表面から裏面に向かう方向（Ｚ軸方向）に貫通する。なお、貫通孔３４ａ内は、透光性を有する樹脂材料又はガラス材料で充填されてもよい。
【００６３】
拡散部材３４ｂは、紫外線光源部４０から発せられる青白光を拡散させて外部に出射する。つまり、拡散部材３４ｂは、紫外線光源部４０が点灯している間、青白光を放出する。拡散部材３４ｂは、蓋部３０の表面に、貫通孔３４ａを覆うように設けられている。本実施の形態では、拡散部材３４ｂは、蓋部３０の表面の一部と側面の一部とに設けられている。これにより、図６Ａ〜図６Ｃに示すように、給水器１の上方又は側方から給水器１を見た場合に、拡散部材３４ｂを視認することができる。したがって、拡散部材３４ｂを視認することで、紫外線光源部４０が点灯しているか否かを判断することができる。
【００６４】
拡散部材３４ｂは、例えば、樹脂材料から形成される。例えば、樹脂材料の表面にシボ加工などを施すことにより、拡散部材３４ｂは形成される。拡散部材３４ｂは、シリカなどの光拡散材を含む樹脂材料から形成されてもよい。
【００６５】
反射部材３４ｃは、紫外線光源部４０から発せられる青白光を反射する。貫通孔３４ａの側面に沿って設けられている。したがって、反射部材３４ｃは、貫通孔３４ａを通過する青白光が蓋部３０に吸収されるのを抑制することができる。反射部材３４ｃは、例えば、アルミニウムなどの金属膜である。
【００６６】
透光性部材３４ｄは、紫外線光源部４０から発せられる青白光を透過する。透光性部材３４ｄは、蓋部３０の裏面に貫通孔３４ａを覆うように設けられている。透光性部材３４ｄは、例えば、ガラス材料から形成される。透光性部材３４ｄは、貯水タンク部１０に貯められる水が貫通孔３４ａ内に浸入するのを抑制する。また、透光性部材３４ｄは、紫外線光源部４０から発せられる紫外線を吸収し、窓部３４を介して外部に放射されるのを抑制する。
【００６７】
［紫外線光源部］
紫外線光源部４０は、貯水タンク部１０の内部に配置され、貯水タンク部１０に貯められた水に紫外線を照射することで、当該水を殺菌する。照射する紫外線は、例えば、２００ｎｍ〜４００ｎｍの範囲にピーク波長を有する紫外線である。本実施の形態では、紫外線光源部４０は、一例として、ピーク波長が２５３．７ｎｍの紫外線を照射する。
【００６８】
紫外線光源部４０は、蓋部３０の裏面に取り付けられている。具体的には、紫外線光源部４０は、蓋部３０（裏面部３０ｂ）の裏面を貫通するように設けられている。
【００６９】
紫外線光源部４０は、図５に示すように、ランプ４１と、カバー４２とを備える。
【００７０】
ランプ４１は、外部から電力を受けて紫外線を発する。ランプ４１は、例えば、紫外線を発する水銀灯である。例えば、ランプ４１としては、内部に水銀蒸気などが封止されたガラス管を有する低圧水銀蒸気放電ランプを用いることができる。なお、ランプ４１に替えて、紫外線を発するＬＥＤ（Ｌｉｇｈｔ  Ｅｍｉｔｔｉｎｇ  Ｄｉｏｄｅ）を用いてもよい。図３に示すように、ランプ４１の給電部は、裏面部３０ｂ内に設けられており、コネクタ６２に接続されている。ランプ４１は、例えば、６Ｗの消費電力で３分間照射することにより、約８リットルの水を殺菌することができる。例えば、６Ｗの消費電力で紫外線を３分間照射することにより、８リットルの水に含まれるマイクロコッカス菌を９９．９％殺菌することができた。
【００７１】
図３及び図５に示すように、ランプ４１の形状は、直管状である。ランプ４１は、例えば、ランプ４１の長軸方向が蓋部３０の裏面に直交するように設けられている。具体的には、ランプ４１は、蓋部３０の裏面のうち、平面視における中心近傍に立設するように設けられている。ランプ４１の先端（下方端）は、貯水タンク部１０の底部の近傍に位置している。例えば、図３に示すように、ランプ４１の先端と給水口部２０（孔部１５）とは略同じ高さに位置する。これにより、貯水タンク部１０に貯められた水に、直接、かつ、略均等に紫外線を照射することができる。
【００７２】
なお、ランプ４１は、紫外線だけでなく、青白光も発する。当該青白光は、窓部３４を介して外部に出射される。これにより、給水器１のユーザは、窓部３４を見ることで、紫外線が照射されているか否かを判断することができる。なお、紫外線を放射するＬＥＤからの光も青白く見える。
【００７３】
カバー４２は、ランプ４１の破損を防止するためのカバーである。カバー４２は、例えば、蓋部３０を机又は床などに置いた場合に、ランプ４１が机又は床に直接接触するのを抑制する。
【００７４】
カバー４２は、ランプ４１を囲むように設けられている。具体的には、カバー４２は、立体格子形状を有し、当該立体格子の内部にランプ４１が配置されている。カバー４２は、例えば、ステンレスなどの金属材料から形成される。
【００７５】
ランプ４１及びカバー４２は、貯水タンク部１０内に水が貯められた場合に、貯められた水に浸かる。例えば、規定の水量（例えば８リットル）の水が貯められた場合に、ランプ４１は、少なくとも半分以上が浸水する。このため、ランプ４１及びカバー４２は、防水性を有することが好ましい。
【００７６】
なお、紫外線光源部４０が紫外線を照射する際には、給水器１は、通常、机又は床などの上に設置されて固定されている。したがって、貯水タンク部１０に貯められた水は、動水（流水）ではなく、静水である。紫外線光源部４０は、静水に紫外線を照射するので、短期間で充分に殺菌することができる。
【００７７】
［開閉センサ部］
開閉センサ部５０は、注水口部１４が蓋部３０によって塞がれているか否かを検知する。つまり、開閉センサ部５０は、蓋部３０が閉じられた状態であるか、開けられた状態であるかを検知する。
【００７８】
開閉センサ部５０は、図４及び図５に示すように、蓋側センサ５１と、タンク側センサ５２とを備える。蓋側センサ５１は、例えば、蓋部３０に内蔵されている。タンク側センサ５２は、例えば、貯水タンク部１０に内蔵されている。
【００７９】
本実施の形態では、蓋側センサ５１とタンク側センサ５２とは、蓋部３０が閉じられた場合に近接するように設けられている。例えば、蓋側センサ５１とタンク側センサ５２とは、蓋部３０が閉じられた場合に、上面視において重複する。
【００８０】
開閉センサ部５０は、例えば、磁気センサである。蓋側センサ５１は、例えば、リードスイッチを有し、駆動回路部６０に電気的に接続されている。タンク側センサ５２は、例えば、永久磁石などの磁石である。蓋部３０が閉じられた場合に、蓋側センサ５１のリードスイッチが導通し、電流が流れる。蓋側センサ５１は、当該電流を検知信号として駆動回路部６０に出力する。
【００８１】
なお、開閉センサ部５０の構成は、一例であって、これに限らない。例えば、蓋側センサ５１は、コイルを有し、タンク側センサ５２に近接したときに流れる電流を検知信号として駆動回路部６０に出力してもよい。
【００８２】
［駆動回路部］
駆動回路部６０は、紫外線光源部４０の点灯及び消灯を制御する。具体的には、駆動回路部６０は、紫外線光源部４０を点灯するタイミング及び消灯するタイミングを制御する。なお、駆動回路部６０は、紫外線光源部４０が放射する紫外線の強度、又は、紫外線を照射する期間を変更する制御を行ってもよい。
【００８３】
本実施の形態では、駆動回路部６０は、紫外線光源部４０の点灯が可能な点灯可能モードと、紫外線光源部４０の点灯が禁止されている点灯禁止モードとを実行する。点灯可能モードでは、電源スイッチ６３が押下されたときに、駆動回路部６０は、紫外線光源部４０の点灯を行う。点灯禁止モードでは、電源スイッチ６３が押下されたとしても、駆動回路部６０は、紫外線光源部４０の点灯を行わない。駆動回路部６０は、点灯可能モードと点灯禁止モードとを、開閉センサ部５０による検知結果に基づいて切り替える。
【００８４】
具体的には、駆動回路部６０は、注水口部１４が塞がれていることを開閉センサ部５０によって検知されない場合に、紫外線光源部４０の点灯を禁止する。つまり、駆動回路部６０は、蓋部３０が開けられた状態では、点灯禁止モードを実行する。具体的には、紫外線光源部４０への電力の供給を禁止する。また、駆動回路部６０は、蓋部３０が閉じられた状態でのみ、点灯可能モードを実行する。具体的には、駆動回路部６０は、紫外線光源部４０への電力の供給を行うことができる。また、紫外線光源部４０の点灯中に、蓋部３０が開けられた場合、駆動回路部６０は、紫外線光源部４０を消灯し、点灯禁止モードに移行する。
【００８５】
駆動回路部６０は、図３に示すように、インバータ６１と、コネクタ６２と、電源スイッチ６３と、メイン回路基板６４と、タイマー部６５とを備える。なお、図示しないが、インバータ６１と、コネクタ６２と、電源スイッチ６３と、メイン回路基板６４と、タイマー部６５とは、ケーブル又は基板に設けられた金属パターンなどの配線によって電気的に接続されている。
【００８６】
インバータ６１は、ランプ４１に供給するための交流電力を生成する。具体的には、インバータ６１は、外部電源から供給された電力（例えば、系統電力）を所望の周波数に変換し、変換後の交流電力を、コネクタ６２を介してランプ４１に供給する。
【００８７】
コネクタ６２は、ランプ４１に電力を供給するための接続部の一例である。コネクタ６２は、インバータ６１に電気的に接続されている。
【００８８】
電源スイッチ６３は、紫外線光源部４０の点灯を開始するためのスイッチである。電源スイッチ６３が押下された場合に、メイン回路基板６４及びインバータ６１は、ランプ４１に電力を供給する。なお、紫外線光源部４０が点灯中に電源スイッチ６３が押下されたとき、紫外線光源部４０を消灯してもよい。
【００８９】
メイン回路基板６４は、ランプ４１への電力の供給の開始及び停止を制御するための回路基板である。具体的には、メイン回路基板６４は、電源スイッチ６３が押下されたことを検知して、ランプ４１へ電力の供給を開始する。
【００９０】
本実施の形態では、メイン回路基板６４は、開閉センサ部５０から出力された検知信号を取得する。メイン回路基板６４は、検知信号によって蓋部３０が閉じられていることが確認された場合にのみ、点灯可能モードを実行する。
【００９１】
タイマー部６５は、紫外線光源部４０の点灯時間をカウントする。タイマー部６５は、例えば、メイン回路基板６４に設けられている。タイマー部６５は、紫外線光源部４０による紫外線の照射が開始されたタイミングからカウントを開始する。タイマー部６５は、カウントの開始から、予め設定された期間（以下、「設定時間」と記載する）が経過したタイミングで、消灯タイミング信号をメイン回路基板６４に出力する。メイン回路基板６４は、消灯タイミング信号を受けた場合に、ランプ４１への電力の供給を停止し、紫外線光源部４０による紫外線の照射を停止する。
【００９２】
設定時間は、例えば、３分間である。なお、複数の設定時間が設定されていてもよい。この場合、ユーザは、複数の設定時間から１つの設定時間を選択することができる。設定時間が長い程、未殺菌水の殺菌効果をより高めることができる。
【００９３】
本実施の形態では、タイマー部６５は、インジケータ７０にカウントに応じたカウント信号を出力する。例えば、タイマー部６５は、カウント値又は残り時間を示すカウント信号を出力する。また、タイマー部６５は、スピーカ８０にカウント信号又は消灯タイミング信号を出力してもよい。
【００９４】
なお、メイン回路基板６４には、例えば、マイコン（マイクロコントローラ）が実装されている。マイコンは、紫外線光源部４０の点灯制御、インジケータ７０の表示制御、及び、スピーカ８０の出音制御を行う。また、マイコンは、タイマー部６５の機能を有してもよい。
【００９５】
［表示部］
インジケータ７０は、タイマー部６５によるカウントに応じた表示を行う表示部の一例である。インジケータ７０は、例えば、タイマー部６５によるカウントに応じて異なる表示を行う。
【００９６】
図３に示すように、インジケータ７０は、ＬＥＤ基板７１と、透光性カバー７２とを備える。
【００９７】
ＬＥＤ基板７１は、複数のＬＥＤ素子が実装されている。複数のＬＥＤ素子は、タイマー部６５によるカウントに応じて順に発光する。複数のＬＥＤ素子は、例えば、赤色又は青色などの可視光を発する。
【００９８】
透光性カバー７２は、ＬＥＤ基板７１から発せられる光を透過するカバーである。透光性カバー７２は、蓋部３０の内部に塵埃又は水分などの異物が浸入するのを抑制する。
【００９９】
図１０は、本実施の形態に係る給水器１を使用中のインジケータ７０の様子を示す上面図である。具体的には、図１０の（ａ）は、紫外線光源部４０による紫外線の照射が開始された時点を示している。図１０の（ｂ）は、紫外線の照射が開始された後、設定時間（例えば、３分）が経過していない時点を示している。図１０の（ｃ）は、紫外線の照射が開始された後、設定時間が経過した時点を示している。
【０１００】
なお、図１０において、斜線の網掛けを付した領域は、ＬＥＤ素子が発光していることを示している。また、窓部３４に付したドットの網掛けは、紫外線光源部４０が紫外線を照射しており、外部から青白い光が視認可能な状態であることを示している。
【０１０１】
図１０の（ａ）に示すように、例えば、紫外線の照射が開始された時点では、インジケータ７０は、１つのみのＬＥＤ素子が発光している。図１０の（ｂ）に示すように、時間の経過とともに、発光するＬＥＤ素子の数が順に増加する。図１０の（ｃ）に示すように、全てのＬＥＤ素子が発光した後、紫外線の照射は終了する。
【０１０２】
なお、インジケータ７０によるカウントの表示方法は、これに限らない。インジケータ７０は、例えば、セグメントディスプレイであり、カウント値（又は、残り時間）をデジタル数字で表示してもよい。あるいは、インジケータ７０は、ＬＥＤ素子を点滅表示させ、点滅の頻度をカウントに応じて変更してもよい。また、インジケータ７０は、カウントに応じてＬＥＤ素子の発光色を変更してもよい。
【０１０３】
［出音部］
スピーカ８０は、開閉センサ部５０によって検知された蓋部３０の開閉状態に応じて音を発する出音部の一例である。スピーカ８０は、例えば、メイン回路基板６４に設けられている。
【０１０４】
本実施の形態では、スピーカ８０は、開閉センサ部５０によって蓋部３０が閉じられたことが検知された場合に効果音（第１効果音）を発する。スピーカ８０は、開閉センサ部５０によって蓋部３０が開けられたことが検知された場合に警告音を発する。
【０１０５】
また、本実施の形態では、スピーカ８０は、紫外線光源部４０の点灯状態に応じて音を発する。具体的には、スピーカ８０は、紫外線光源部４０が点灯を開始したときに、第２効果音を発する。スピーカ８０は、設定時間が経過して紫外線光源部４０が消灯したときに、第３効果音を発する。
【０１０６】
第１効果音、第２効果音及び第３効果音並びに警告音は、例えば、互いに異なる音である。具体的には、音の高さ、音の大きさ、又は、音を発する回数若しくはタイミングなどが異なっている。
【０１０７】
なお、スピーカ８０は、効果音又は警告音の代わりに、音声又は音楽を出力してもよい。
【０１０８】
［取手部］
取手部９０は、給水器１を持ち運ぶ際に、ユーザに把持される部分である。取手部９０は、貯水タンク部１０に取り付けられている。取手部９０は、例えば、ポリプロピレンなどの樹脂材料から形成される。
【０１０９】
［機能構成］
続いて、本実施の形態に係る給水器１の機能構成について、図１１を用いて説明する。図１１は、本実施の形態に係る給水器１の構成を示す機能ブロック図である。
【０１１０】
図１１に示すように、給水器１は、受付部１１０と、検知部１２０と、光源部１３０と、制御部１４０と、タイマー部１５０と、出音部１６０と、表示部１７０とを備える。
【０１１１】
受付部１１０は、光源部１３０による紫外線の照射の開始（すなわち、点灯指示）を受け付ける。受付部１１０は、電源スイッチ６３に相当する。受付部１１０は、紫外線の照射の停止（すなわち、消灯指示）を受け付けてもよい。受付部１１０は、点灯期間の設定、照射強度の設定などを受け付けてもよい。
【０１１２】
検知部１２０は、蓋部３０が閉じられているか否かを検知する。検知部１２０は、開閉センサ部５０に相当する。検知部１２０は、蓋部３０が閉じられているか否かを検知し、検知結果を制御部１４０に出力する。
【０１１３】
光源部１３０は、貯水タンク部１０に貯められた水に紫外線を照射する。光源部１３０は、紫外線光源部４０に相当する。光源部１３０は、制御部１４０による点灯又は消灯の制御に基づいて、紫外線の点灯及び消灯を行う。
【０１１４】
制御部１４０は、光源部１３０、出音部１６０及び表示部１７０の動作を制御する。制御部１４０は、駆動回路部６０に相当する。具体的には、制御部１４０は、メイン回路基板６４に実装されたマイコンに相当する。
【０１１５】
本実施の形態では、制御部１４０は、給水器１の動作モードを制御する。
【０１１６】
具体的には、制御部１４０は、蓋部３０が閉じられたことを検知部１２０が検知した場合に、点灯可能モードに移行する。このとき、制御部１４０は、出音部１６０に効果音（第１効果音）を出力させる。
【０１１７】
例えば、点灯可能モードの場合に、制御部１４０は、受付部１１０が点灯指示を受け付けた場合に、光源部１３０に紫外線を照射させる。このとき、制御部１４０は、出音部１６０に効果音（第２効果音）を出力させる。
【０１１８】
また、制御部１４０は、設定時間が経過したことがタイマー部１５０から通知されたとき、光源部１３０に紫外線の照射を停止させる。このとき、制御部１４０は、出音部１６０に効果音（第３効果音）を出力させる。
【０１１９】
制御部１４０は、光源部１３０が紫外線を照射中に、蓋部３０が開けられたことを検知部１２０が検知した場合に、光源部１３０に紫外線の照射を停止させる。また、このとき、制御部１４０は、点灯可能モードから点灯禁止モードに移行する。
【０１２０】
制御部１４０は、点灯禁止モードの場合に、受付部１１０が点灯指示を受け付けたとしても、光源部１３０に紫外線を照射させない。例えば、制御部１４０は、光源部１３０に紫外線を照射させる代わりに、出音部１６０に警告音を出力させる。
【０１２１】
タイマー部１５０は、光源部１３０の点灯時間をカウントする。タイマー部１５０は、タイマー部６５に相当する。タイマー部１５０は、光源部１３０の点灯時間が設定時間に達した場合に、制御部１４０に通知する。
【０１２２】
出音部１６０は、検知部１２０によって検知された蓋部３０の開閉状態に応じて音を発する。出音部１６０は、スピーカ８０に相当する。また、出音部１６０は、光源部１３０の点灯状態に応じて音を発する。具体的には、出音部１６０は、制御部１４０による制御に基づいて、効果音又は警告音を発する。
【０１２３】
表示部１７０は、タイマー部１５０によるカウントに応じた表示を行う。表示部１７０は、インジケータ７０に相当する。表示部１７０は、制御部１４０による制御に基づいて、光源部１３０の点灯時間に応じて異なる表示を行う。
【０１２４】
［動作］
続いて、本実施の形態に係る給水器１の動作について、図１２及び図１３を用いて説明する。
【０１２５】
図１２は、本実施の形態に係る給水器１の動作を示すフローチャートである。図１３は、本実施の形態に係る給水器１の動作を模式的に示す図である。
【０１２６】
まず、図１３の（ａ）に示すように、ユーザは、給水器１の蓋部３０を取り外して、注水口部１４を介して貯水タンク部１０に水を注ぐ。水は、具体的には、未殺菌水であり、例えば、蛇口２００から供給される水道水である。
【０１２７】
次に、図１３の（ｂ）に示すように、ユーザは、貯水タンク部１０に蓋部３０を取り付ける。具体的には、ユーザは、手２１０で把持部３１を把持して蓋部３０を回動させることで、蓋部３０を閉じる。このとき、蓋部３０が正しく閉じられた場合、スピーカ８０が第１効果音（例えば、「ピッ」）を発する。
【０１２８】
以上のように、ユーザによって貯水タンク部１０に水を貯められた後に、給水器１は、貯められた水の殺菌を行うことができる。つまり、駆動回路部６０は、点灯可能モードに移行する。
【０１２９】
具体的には、まず、図１２に示すように、給水器１は、ユーザから点灯指示を受け付けるのを待機する（ステップＳ１０でＮｏ）。具体的には、図１３の（ｃ）に示すように、例えば、ユーザの手２１０によって電源スイッチ６３が押下されるのを待機する。
【０１３０】
点灯指示が受け付けられた場合（ステップＳ１０でＹｅｓ）、駆動回路部６０は、開閉センサ部５０によって蓋部３０が閉じられていることを確認する（ステップＳ１２）。蓋部３０が閉じられていない場合（ステップＳ１２でＮｏ）、スピーカ８０は、警告音を発する（ステップＳ１４）。このとき、スピーカ８０は、蓋部３０が閉じられるまで、定期的に警告音を発し続けてもよい。
【０１３１】
蓋部３０が閉じられている場合（ステップＳ１２でＹｅｓ）、紫外線光源部４０は、貯水タンク部１０に貯められた水に紫外線の照射を開始する（ステップＳ１６）。このとき、図１３の（ｃ）に示すように、スピーカ８０は、第２効果音（例えば、「ピピッ」）を発してもよい。
【０１３２】
タイマー部６５は、カウントを開始し、設定時間を経過するまで待機する（ステップＳ１８でＮｏ）。具体的には、図１３の（ｄ）に示すように、紫外線光源部４０は、紫外線を照射し続ける。また、インジケータ７０は、カウントに応じた表示を行う。このとき、窓部３４は、青白く光って見える。
【０１３３】
設定時間が経過した場合（ステップＳ１８でＹｅｓ）、紫外線光源部４０は、紫外線の照射を停止する。また、図１３の（ｅ）に示すように、スピーカ８０は、第３効果音（例えば、「ピーッ」）を終了音として発する（ステップＳ２０）。これにより、設定時間の間、貯水タンク部１０に貯められた未殺菌水には、紫外線が直接照射されるので、充分に殺菌することができる。
【０１３４】
なお、このとき、インジケータ７０は表示を終了する。すなわち、ＬＥＤ基板７１は、発光を終了する。また、紫外線光源部４０から青白い光も放射されないので、窓部３４は、青白く光って見えなくなる。
【０１３５】
最後に、ユーザは、必要に応じて給水口部２０を操作することで、貯水タンク部１０に貯められた水（殺菌水）をコップ２２０に注ぐことができる。これにより、殺菌水を飲用水などとして利用することができる。
【０１３６】
［効果など］
以下では、本実施の形態に係る給水器１による効果などを説明する。
【０１３７】
従来の流水式の水殺菌装置では、上述したように、短期間で大量の水を充分に殺菌することができないという問題がある。
【０１３８】
これに対して、本実施の形態に係る給水器１は、内部に注水するための注水口部１４を有する貯水タンク部１０と、貯水タンク部１０に貯水された水を給水するための給水口部２０と、貯水タンク部１０の内部に配置され、貯水タンク部１０に貯められた水に紫外線を照射することで、当該水を殺菌する紫外線光源部４０とを備える。
【０１３９】
これにより、紫外線光源部４０は、貯水タンク部１０に貯められた水に紫外線を照射するので、貯められた水を一括して殺菌することができる。また、紫外線光源部４０が貯水タンク部１０の内部に配置されているので、貯水タンク部１０に貯められた水の全体に届くように紫外線を照射することができるので、優れた殺菌効果を有する。したがって、本実施の形態に係る給水器１によれば、短期間に大量の水を充分に殺菌することができる。
【０１４０】
また、従来の水殺菌装置は、一度タンクに貯水された殺菌水を再度殺菌することができないという問題もある。したがって、殺菌後に所定期間が経過した場合、細菌が繁殖している恐れがある。このため、タンクに貯められた殺菌水の全てを破棄しなければならない。あるいは、細菌が繁殖した水をそのまま飲用水として使用してしまう恐れがある。
【０１４１】
これに対して、本実施の形態に係る給水器１によれば、貯水タンク部１０の内部で紫外線を照射することで、殺菌を行う。つまり、給水器１では、貯水タンク部１０の内部空間を、殺菌用と貯水用との両方の空間として利用する。このため、一度殺菌した殺菌水を再び殺菌することもできるので、常に安全性の高い水を飲用水などとして提供することができる。
【０１４２】
また、貯水タンク部１０の内面にも紫外線が照射されるので、貯水タンク部１０自体を殺菌することができる。したがって、より安全性の高い水を提供することができる。
【０１４３】
また、従来の水殺菌装置は、水道に直接接続されて使用される。つまり、水道管への接続作業などの専門的な工事が必要となり、当該水殺菌装置を設置するのが煩雑であるという問題もある。さらに、水道管へ接続するために、水殺菌装置の設置場所が制限されるという問題もある水道管へ接続するために、水殺菌装置の設置場所が制限されるという問題もある。
【０１４４】
これに対して、本実施の形態に係る給水器１によれば、貯水タンク部１０が注水口部１４を有するので、水道の蛇口などから貯水タンク部１０に水を注ぐことができる。つまり、紫外線光源部４０を水道管などに接続する必要がない。したがって、給水器１は、持ち運びが可能である。
【０１４５】
さらに、給水器１によれば、紫外線光源部４０が貯水タンク部１０の内部に配置されているので、従来の流水式の水殺菌装置と比較して、殺菌処理用のタンク部及び排水管を設ける必要がなく、構造を簡素化することができる。構造を簡素化させることで、低コスト化が実現でき、また、給水器１の小型化及び軽量化を実現することができる。したがって、給水器１の持ち運びをより一層容易に行うことができる。
【０１４６】
また、例えば、給水器１は、さらに、注水口部１４を塞ぐための着脱可能な蓋部３０を備える。
【０１４７】
これにより、蓋部３０が注水口部１４を塞ぐことができるので、紫外線光源部４０が照射する紫外線が給水器１の外部に漏れ出るのを抑制することができる。また、蓋部３０によって紫外線が漏れ出るのを抑制することができるので、注水口部１４を大きくすることができる。したがって、貯水タンク部１０に注水するのに要する時間を短くすることができる。また、貯水タンク部１０に貯められた水が溢れるのを抑制することができる。
【０１４８】
また、例えば、紫外線光源部４０は、蓋部３０の裏面に取り付けられている。
【０１４９】
これにより、給水器１の使用状態、すなわち、蓋部３０が閉じられている状態では、紫外線光源部４０が貯水タンク部１０の内部に配置されているので、貯水タンク部１０に貯められた水を殺菌することができる。また、蓋部３０を貯水タンク部１０から取り外すことで、紫外線光源部４０を貯水タンク部１０から容易に取り出すことができる。したがって、例えば、貯水タンク部１０の内部を容易に洗浄することができ、給水器１の清潔性を保ちやすくなり、貯められた殺菌水に殺菌が再繁殖するのを抑制することができる。
【０１５０】
また、例えば、給水器１は、さらに、注水口部１４が蓋部３０によって塞がれているか否かを検知する開閉センサ部５０と、紫外線光源部４０の点灯及び消灯を制御する駆動回路部６０とを備え、駆動回路部６０は、注水口部１４が塞がれていることを開閉センサ部５０によって検知されない場合に、紫外線光源部４０の点灯を禁止する。
【０１５１】
これにより、蓋部３０が閉じられていない場合には、紫外線が照射されない。したがって、紫外線が給水器１の外部に誤って漏れ出ることを抑制し、ユーザの人体への悪影響や器物の損傷を抑制することができる。
【０１５２】
また、例えば、給水器１は、さらに、開閉センサ部５０によって検知された蓋部３０の開閉状態に応じて音を発する出音部１６０（スピーカ８０）を備える。
【０１５３】
これにより、蓋部３０の開閉状態に応じて音を発するので、例えば、蓋部３０が正しく閉じられているか否かなどをユーザに知らせることができる。したがって、本実施の形態に係る給水器１によれば、ユーザ利便性を高めることができる。
【０１５４】
また、例えば、蓋部３０は、貯水タンク部１０の内部を視認するための窓部３４を備える。
【０１５５】
これにより、殺菌処理中（すなわち、紫外線照射中）に、ユーザは、窓部３４を介して、目視により紫外線が照射されているか否かを確認することができる。すなわち、ユーザは、紫外線光源部４０の動作状態を目視にて確認することができる。したがって、例えば、ランプ４１の寿命による取り替え時期などを容易に知ることができる。
【０１５６】
また、例えば、蓋部３０は、円板状の蓋体であり、かつ、側面に第１平坦部３２を有する。
【０１５７】
これにより、蓋部３０が机又は床などに置かれた場合、第１平坦部３２が机又は床に接することで、蓋部３０の側方への回転を抑制することができる。例えば、貯水タンク部１０への注水を行う際には、注水処理をスムーズに行うために、蓋部３０を取り外して机又は床などに置かれることが考えられる。この場合に、第１平坦部３２が机又は床に接することで、蓋部３０が転がるのを抑制することができる。
【０１５８】
したがって、例えば、蓋部３０が転がって机から落ちる、あるいは、周辺の物に衝突し、蓋部３０自身又は紫外線光源部４０が破損するのを抑制することができる。特に、紫外線光源部４０の一部にガラス部材が使われている場合、ガラス部材の破損を抑制することができる。また、蓋部３０の内部に駆動回路部６０が収納されている場合においても、駆動回路部６０の故障を抑制することができる。
【０１５９】
また、例えば、蓋部３０は、裏面とは反対側の表面に第２平坦部３３を有し、第２平坦部３３を鉛直下向きにして水平面９５に置いた場合に自立する。
【０１６０】
これにより、蓋部３０が第２平坦部３３を下向きにして机又は床などに置かれた場合、蓋部３０が自立する。例えば、貯水タンク部１０への注水を行う際には、注水処理をスムーズに行うために、蓋部３０を取り外して机又は床などに置かれることが考えられる。この場合に、蓋部３０が自立することで、蓋部３０が転倒するのを抑制することができる。
【０１６１】
したがって、例えば、蓋部３０が転倒して机から落ちる、あるいは、周辺の物に衝突し、蓋部３０自身又は紫外線光源部４０が破損するのを抑制することができる。特に、紫外線光源部４０の一部にガラス部材が使われている場合、ガラス部材の破損を抑制することができる。また、蓋部３０の内部に駆動回路部６０が収納されている場合においても、駆動回路部６０の故障を抑制することができる。
【０１６２】
また、例えば、蓋部３０は、蓋部３０を開閉するために把持される凸状の把持部３１を有し、把持部３１の形状は、蓋部３０に対する平面視において、細長形状である。
【０１６３】
これにより、ユーザは把持部３１を把持することで、容易に蓋部３０を閉じることができる。また、把持部３１が平面視において細長形状であるので、ユーザは、把持部３１の長手方向を確認することで、蓋部３０が正しく閉じられているか否かを判断することができる。例えば、給水器１の正面から見た場合に、把持部３１の長手方向がまっすぐになる（Ｙ軸方向に重なる）ように閉めることで、ユーザは、蓋部３０を容易に閉じることができる。
【０１６４】
また、例えば、給水器１は、さらに、紫外線光源部４０の点灯時間をカウントするタイマー部６５と、タイマー部６５によるカウントに応じた表示を行う表示部１７０（インジケータ７０）とを備える。
【０１６５】
これにより、殺菌処理の終了までの時間又はタイミングをユーザに容易に知らせることができる。したがって、ユーザ利便性を高めることができる。
【０１６６】
また、例えば、貯水タンク部１０の内面及び蓋部３０の裏面は、金属で覆われている。
【０１６７】
これにより、金属が紫外線を反射するので、貯水タンク部１０及び蓋部３０を構成する樹脂の紫外線による劣化を抑制することができる。また、貯水タンク１や蓋部３０の内面で吸収されなかった紫外線が、給水器１の内部に貯められた水に戻ることになるため、より短期間で効率良く水を殺菌することができる。
【０１６８】
また、例えば、給水器１は、さらに、紫外線光源部４０の点灯状態に応じて音を発する出音部１６０（スピーカ８０）を備える。
【０１６９】
これにより、紫外線光源部４０の点灯状態に応じて音を発するので、例えば、紫外線の照射開始及び終了などをユーザに知らせることができる。したがって、ユーザ利便性を高めることができる。
【０１７０】
また、本実施の形態に係る蓋（蓋部３０）は、例えば、給水器１に着脱可能な蓋であって、当該蓋の裏面には、紫外線光源部４０が取り付けられており、紫外線光源部４０は、蓋が給水器１に取り付けられた場合に、給水器１の内部に貯められた水に紫外線を照射することで、当該水を殺菌する。
【０１７１】
これにより、蓋部３０を用いることで、上述した給水器１と同様に、短期間で大量の水を充分に殺菌することができる。
【０１７２】
（その他）
以上、本発明に係る給水器について、上記実施の形態及びその変形例に基づいて説明したが、本発明は、上記の実施の形態に限定されるものではない。
【０１７３】
例えば、上記の実施の形態では、蓋部３０の裏面に紫外線光源部４０が取り付けられている例について示したが、これに限らない。紫外線光源部４０は、貯水タンク部１０の内部に取り付けられていてもよい。例えば、紫外線光源部４０は、貯水タンク部１０の内底又は内側面に取り付けられていてもよい。
【０１７４】
また、例えば、上記の実施の形態では、給水器１が蓋部３０を備える例について示したが、これに限らない。給水器１は、蓋部３０を備えていなくてもよい。なお、この場合、紫外線光源部４０は、例えば、貯水タンク部１０の内面に取り付けられている。また、紫外線光源部４０が発する紫外線が外に漏れないように、注水口部１４は、開口が小さく、紫外線光源部４０から離れた位置に配置されている。あるいは、例えば、水道の蛇口に取り付けられたホースが注水口部１４に取り付けられていてもよい。
【０１７５】
また、例えば、上記の実施の形態では、蓋部３０を回動させることで、注水口部１４を塞ぐ（蓋部３０を閉じる）例について示したが、これに限らない。例えば、蓋部３０を貯水タンク部１０に押し込むことで、注水口部１４を塞いでもよい。
【０１７６】
また、例えば、上記の実施の形態では、凸状の把持部３１を把持して蓋部３０を回動させる例について示したが、これに限らない。例えば、把持部３１は、凹部でもよい。ユーザは、当該凹部に手を入れて蓋部３０を回動させることができる。
【０１７７】
また、例えば、上記の実施の形態では、凸状の把持部３１と蓋部３０の表面（上面）とが面一である例について示したが、これに限らない。例えば、把持部３１が蓋部３０の上面より突出していてもよい。
【０１７８】
また、例えば、上記の実施の形態では、蓋部３０が円板状の蓋体である例について示したが、これに限らない。蓋部３０は、矩形の蓋体でもよい。同様に、貯水タンク部１０の形状が円筒状である例について示したが、これに限らない。貯水タンク部１０の形状は、角筒状でもよい。
【０１７９】
また、貯水タンク部１０の底部には、複数の脚部を設けてもよい。これにより、給水器１を机などの設置面に設置した場合に、設置面からの給水口部２０の高さを高くすることができる。したがって、給水を行いやすくすることができる。
【０１８０】
また、例えば、給水器１は、蓋部３０の開閉を制限する機能を有してもよい。例えば、紫外線光源部４０が紫外線を照射している間は、蓋部３０が開けられないように固定されていてもよい。
【０１８１】
また、例えば、給水器１は、開閉センサ部５０、駆動回路部６０、インジケータ７０、スピーカ８０及び取手部９０の少なくとも１つを備えなくてもよい。また、開閉センサ部５０、駆動回路部６０、インジケータ７０、スピーカ８０及び取手部９０が設けられる位置についても、実施の形態で示した例に限らない。例えば、インジケータ７０は、蓋部３０ではなく、貯水タンク部１０に設けられていてもよい。
【０１８２】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１８３】
１  給水器
１０  貯水タンク部
１４  注水口部
２０  給水口部
３０  蓋部（蓋）
３１  把持部
３２  第１平坦部
３３  第２平坦部
３４  窓部
４０  紫外線光源部
５０  開閉センサ部
６０  駆動回路部
６５  タイマー部
７０  インジケータ（表示部）
８０  スピーカ（出音部）
【図１】
0006604530.tif 000002
【図２Ａ】
0006604530.tif 000003
【図２Ｂ】
0006604530.tif 000004
【図２Ｃ】
0006604530.tif 000005
【図３】
0006604530.tif 000006
【図４】
0006604530.tif 000007
【図５】
0006604530.tif 000008
【図６Ａ】
0006604530.tif 000009
【図６Ｂ】
0006604530.tif 000010
【図６Ｃ】
0006604530.tif 000011
【図７】
0006604530.tif 000012
【図８】
0006604530.tif 000013
【図９】
0006604530.tif 000014
【図１０】
0006604530.tif 000015
【図１１】
0006604530.tif 000016
【図１２】
0006604530.tif 000017
【図１３】
0006604530.tif 000018